(57)【要約】【課題】赤外線通信素子の指向角にかかわらず、広い範囲で赤外線通信を行うことが可能な画像形成装置を提供する。【解決手段】この熱転写プリンタ（画像形成装置）は、画像データの赤外線通信を行うための赤外線通信部４と、印画を行う装置本体１の上面１ｃに、Ａ方向に回転可能に設置された回転部材３とを備える。そして、赤外線通信部４は、回転部材３に上下方向（Ｂ方向）に回動可能に取り付けられた回動部４ａと、回動部４ａに装着された赤外線通信素子４ｂとを含む。また、装置本体１の赤外線通信素子４ｂは、カメラ部１０ａと、カメラ部１０ａにより撮影した画像データに対応する赤外線信号を送信する赤外線通信素子１０ｂとを有する携帯電話１０からの画像データに対応する赤外線信号を受信可能である。【選択図】図２
2007130764.tif 000002
【特許請求の範囲】
【請求項１】
印画を行う装置本体に設置され、画像データの赤外線通信を行うための赤外線通信部を備えた画像形成装置において、
印画を行う装置本体の上面に、水平方向に回転可能に設置された回転部材をさらに備え、
前記赤外線通信部は、前記回転部材に上下方向に回動可能に取り付けられた回動部と、前記回動部に装着された赤外線通信素子とを含むとともに、カメラ機能と、前記カメラ機能により撮影した画像データに対応する赤外線信号を送信する赤外線通信機能とを有する機器からの画像データに対応する赤外線信号を受信可能であり、
前記円柱形状の回動部の表面には、操作者が前記回動部を指で回動させる際に触れる凹凸形状の把持部が設けられている、画像形成装置。
【請求項２】
印画を行う装置本体の上面に、水平方向に回転可能に設置された回転部材と、
前記回転部材に取り付けられ、画像データの赤外線通信を行うための赤外線通信部とを備えた、画像形成装置。
【請求項３】
前記赤外線通信部は、前記回転部材に上下方向に回動可能に取り付けられている、請求項２に記載の画像形成装置。
【請求項４】
前記赤外線通信部は、前記回転部材に上下方向に回動可能に取り付けられた回動部と、前記回動部に装着された赤外線通信素子とを含む、請求項３に記載の画像形成装置。
【請求項５】
前記装置本体の赤外線通信部は、カメラ機能と、前記カメラ機能により撮影した画像データに対応する赤外線信号を送信する赤外線通信機能とを有する機器からの画像データに対応する赤外線信号を受信可能である、請求項２〜４のいずれか１項に記載の画像形成装置。
【請求項６】
前記円柱形状の回動部の表面には、操作者が前記回動部を指で回動させる際に触れる凹凸形状の把持部が設けられている、請求項４に記載の画像形成装置。
【発明の詳細な説明】
【技術分野】
【０００１】
この発明は、画像形成装置に関し、特に、印画を行う装置本体に設置され、画像データの赤外線通信を行うための赤外線通信部を備えた画像形成装置に関する。
【背景技術】
【０００２】
従来、印画を行う装置本体に設置され、画像データの赤外線通信を行うための赤外線通信部（赤外線通信素子）を備えた熱転写プリンタなどの画像形成装置が知られている。また、従来、カメラ部と、カメラ部により撮影した画像データ（写真データ）を熱転写プリンタに送信可能な赤外線通信部（赤外線通信素子）とを有する携帯電話も知られている。図１２は、従来の一例による熱転写プリンタと、カメラ部および赤外線通信素子を有する携帯電話とを示した斜視図である。図１３および図１４は、図１２に示した従来の熱転写プリンタと携帯電話とが通信する状態を示した断面図である。まず、図１２〜図１４を参照して、従来の一例による熱転写プリンタと、カメラ部および赤外線通信素子を有する携帯電話との構造について説明する。
【０００３】
従来の一例による熱転写プリンタは、図１２に示すように、画像データに基づいて印刷が可能な装置本体１０１と、装置本体１０１に脱着可能に装着される給紙トレイ１０２と、携帯電話１１０との間で画像データの赤外線通信を行うための赤外線通信素子１０３とを有する。装置本体１０１は、図１２および図１３に示すように、インクシートカートリッジ（図示せず）を挿入するための挿入孔１０１ａと、赤外線通信素子１０３の表面を露出させるための赤外線通信用孔１０１ｂと、赤外線通信素子１０３を取り付けるための取付部１０１ｃとを含んでいる。また、携帯電話１１０は、画像を撮影可能なカメラ部１１０ａと、カメラ部１１０ａにより撮像した画像のデータを熱転写プリンタに送信するための赤外線通信素子１１０ｂとを有する。
【０００４】
また、熱転写プリンタの装置本体１０１の赤外線通信素子１０３および携帯電話１１０の赤外線通信素子１１０ｂは、Ｉｒ−ＤＡ規格に対応している。Ｉｒ−ＤＡとは、赤外線によるデータ通信において、様々なメーカーによる製品間の通信を可能にするために設定された赤外線通信規格である。Ｉｒ−ＤＡ規格による指向角は、他機との干渉を抑えるため、送信側および受信側共に±１５度と狭くなっている。
【０００５】
次に、従来の一例による装置本体１０１と、携帯電話１１０とのデータ通信について説明する。図１３に示すように、携帯電話１１０のカメラ部１１０ａで撮影された画像のデータは、赤外線信号に変換され、携帯電話１１０の赤外線通信素子１１０ｂから送信される。送信された赤外線信号は±１５度の指向角で直進し、熱転写プリンタの装置本体１０１の赤外線通信素子１０３により受信される。熱転写プリンタの赤外線通信素子１０３により受信された赤外線信号は、画像データに変換される。そして、その画像データに基づいて、装置本体１０１により印刷が行われる。また、図１４に示すように、装置本体１０１から携帯電話１１０への通信も同様にして可能である。
【０００６】
しかしながら、図１２〜図１４に示した従来の熱転写プリンタでは、図１５および図１６に示すように、熱転写プリンタの装置本体１０１の赤外線通信素子１０３に対する携帯電話１１０の赤外線通信素子１１０ｂの位置や向きがずれた場合、Ｉｒ−ＤＡの指向角が±１５度と狭いため、通信が困難になるという不都合があった。
【０００７】
そこで、従来では、指向角を±６０度まで広げることが可能な赤外線通信モジュール（赤外線通信素子）の構造が提案されている（たとえば、特許文献１参照）。この特許文献１において提案された赤外線通信モジュールでは、赤外線通信モジュールを構成する発光用のＬＥＤおよび受光用のフォトセンサの前にＸ軸およびＹ軸を回動中心として回動可能な微小ミラー部を設けるとともに、その微小ミラー部をＸ軸およびＹ軸を回動中心として、それぞれ、±３０度回動させることにより、頂角±６０の円錐の範囲で通信が可能になる。
【０００８】
【特許文献１】特開平１１−２８８３３６号公報
【発明の開示】
【発明が解決しようとする課題】
【０００９】
しかしながら、上記特許文献１に開示された赤外線通信モジュールの構造では、指向角としての頂角±６０度の円錐の範囲内で赤外線通信が可能である一方、指向角としての頂角±６０度の円錐の範囲外では赤外線通信を行うことができないという問題点がある。
【００１０】
この発明は、上記のような課題を解決するためになされたものであり、この発明の１つの目的は、赤外線通信素子の指向角にかかわらず、広い範囲で赤外線通信を行うことが可能な画像形成装置を提供することである。
【課題を解決するための手段】
【００１１】
この発明の第１の局面による画像形成装置は、印画を行う装置本体に設置され、画像データの赤外線通信を行うための赤外線通信部を備えた画像形成装置において、印画を行う装置本体の上面に、水平方向に回転可能に設置された回転部材をさらに備え、赤外線通信部は、回転部材に上下方向に回動可能に取り付けられた回動部と、回動部に装着された赤外線通信素子とを含むとともに、カメラ機能と、カメラ機能により撮影した画像データに対応する赤外線信号を送信する赤外線通信機能とを有する機器からの画像データに対応する赤外線信号を受信可能であり、円柱形状の回動部の表面には、操作者が回動部を指で回動させる際に触れる凹凸形状の把持部が設けられている。
【００１２】
この第１の局面による画像形成装置では、上記のように、印画を行う装置本体の上面に、水平方向に回転可能に設置された回転部材と、回転部材に取り付けられ、画像データの赤外線通信を行うための赤外線通信部とを備えるように構成することによって、画像データに対応する赤外線信号を送信する機器の位置が、装置本体の赤外線通信部に対して水平方向にずれている場合には、装置本体の赤外線通信部を回転部材と共に装置本体の上面で水平方向に回転させることにより、装置本体の赤外線通信部を画像データに対応する赤外線信号を送信する機器と対向する位置まで回転させることができる。これにより、画像データに対応する赤外線信号を送信する機器の位置が装置本体の赤外線通信部に対して水平方向にずれている場合にも、画像データに対応する赤外線信号を送信する機器から送信される赤外線信号を装置本体の赤外線通信部により受信することができるので、画像データに対応する赤外線信号を送信する機器と画像形成装置との間で、画像データの通信を行うことができる。その結果、装置本体の赤外線通信部の指向角にかかわらず、広い範囲で赤外線通信を行うことができる。また、赤外線通信部を、回転部材に上下方向に回動可能に取り付けることによって、画像データに対応する赤外線信号を送信する機器の位置が、装置本体の赤外線通信部に対して上下方向にずれている場合には、装置本体の赤外線通信部を上下方向に回動させることにより、装置本体の赤外線通信部を画像データに対応する赤外線信号を送信する機器と対向する位置まで回動させることができる。これにより、画像データに対応する赤外線信号を送信する機器の位置が装置本体の赤外線通信部に対して上下方向にずれている場合にも、画像データに対応する赤外線信号を送信する機器から送信される赤外線信号を装置本体の赤外線通信部により受信することができるので、画像データに対応する赤外線信号を送信する機器と画像形成装置との間で、画像データの通信を行うことができる。その結果、装置本体の赤外線通信部の指向角にかかわらず、より広い範囲で赤外線通信を行うことができる。
【００１３】
また、第１の局面では、赤外線通信部を、回転部材に上下方向に回動可能に取り付けられた回動部と、回動部に装着された赤外線通信素子とを含むように構成することによって、回動部を上下方向に回動させることにより、容易に、赤外線通信部を上下方向に移動させることができる。また、装置本体の赤外線通信部を、カメラ機能と、カメラ機能により撮影した画像データに対応する赤外線信号を送信する赤外線通信機能とを有する機器からの画像データに対応する赤外線信号を受信可能に構成することによって、その機器のカメラ機能により撮影した画像データに対応する赤外線信号を、装置本体の赤外線通信部を介して、簡単に装置本体に取り込むことができる。また、円柱形状の回動部の表面に操作者が回動部を指で回動させる際に触れる凹凸形状の把持部を設けることによって、凹凸形状の把持部を指で回動させることにより、容易に、赤外線通信部を上下方向に移動させることができる。
【００１４】
この発明の第２の局面による画像形成装置は、印画を行う装置本体の上面に、水平方向に回転可能に設置された回転部材と、回転部材に取り付けられ、画像データの赤外線通信を行うための赤外線通信部とを備える。
【００１５】
この第２の局面による画像形成装置では、上記のように、印画を行う装置本体の上面に、水平方向に回転可能に設置された回転部材と、回転部材に取り付けられ、画像データの赤外線通信を行うための赤外線通信部とを備えるように構成することによって、画像データに対応する赤外線信号を送信する機器の位置が、装置本体の赤外線通信部に対して水平方向にずれている場合には、装置本体の赤外線通信部を回転部材と共に装置本体の上面で水平方向に回転させることにより、装置本体の赤外線通信部を画像データに対応する赤外線信号を送信する機器と対向する位置まで回転させることができる。これにより、画像データに対応する赤外線信号を送信する機器の位置が装置本体の赤外線通信部に対して水平方向にずれている場合にも、画像データに対応する赤外線信号を送信する機器から送信される赤外線信号を装置本体の赤外線通信部により受信することができるので、画像データに対応する赤外線信号を送信する機器と画像形成装置との間で、画像データの通信を行うことができる。その結果、装置本体の赤外線通信部の指向角にかかわらず、広い範囲で赤外線通信を行うことができる。
【００１６】
上記第２の局面による画像形成装置において、好ましくは、赤外線通信部は、回転部材に上下方向に回動可能に取り付けられている。このように構成すれば、画像データに対応する赤外線信号を送信する機器の位置が、装置本体の赤外線通信部に対して上下方向にずれている場合には、装置本体の赤外線通信部を上下方向に回動させることにより、装置本体の赤外線通信部を画像データに対応する赤外線信号を送信する機器と対向する位置まで回動させることができる。これにより、画像データに対応する赤外線信号を送信する機器の位置が装置本体の赤外線通信部に対して上下方向にずれている場合にも、画像データに対応する赤外線信号を送信する機器から送信される赤外線信号を装置本体の赤外線通信部により受信することができるので、画像データに対応する赤外線信号を送信する機器と画像形成装置との間で、画像データの通信を行うことができる。その結果、装置本体の赤外線通信部の指向角にかかわらず、より広い範囲で赤外線通信を行うことができる。
【００１７】
この場合、好ましくは、赤外線通信部は、回転部材に上下方向に回動可能に取り付けられた回動部と、回動部に装着された赤外線通信素子とを含む。このように構成すれば、回動部を上下方向に回動させることにより、容易に、赤外線通信部を上下方向に移動させることができる。
【００１８】
上記第２の局面による画像形成装置において、好ましくは、装置本体の赤外線通信部は、カメラ機能と、カメラ機能により撮影した画像データに対応する赤外線信号を送信する赤外線通信機能とを有する機器からの画像データに対応する赤外線信号を受信可能である。このように構成すれば、その機器のカメラ機能により撮影した画像データに対応する赤外線信号を、装置本体の赤外線通信部を介して、簡単に装置本体に取り込むことができる。
【００１９】
上記赤外線通信部が回動部を含む構成において、好ましくは、円柱形状の回動部の表面には、操作者が回動部を指で回動させる際に触れる凹凸形状の把持部が設けられている。このように構成すれば、凹凸形状の把持部を指で回動させることにより、容易に、赤外線通信部を上下方向に移動させることができる。
【発明を実施するための最良の形態】
【００２０】
以下、本発明の実施形態を図面に基づいて説明する。
【００２１】
図１は本発明の一実施形態による熱転写プリンタと、カメラ部および赤外線通信部（赤外線通信素子）を有する携帯電話とを示した斜視図である。図２は、図１に示した一実施形態による熱転写プリンタを示した分解斜視図である。図３〜図６は、図１に示した一実施形態による熱転写プリンタを示した図である。図７は、図１に示した一実施形態による熱転写プリンタの赤外線通信部を示した斜視図である。図１〜図７を参照して、本発明の一実施形態による熱転写プリンタの構造を説明する。なお、本実施形態では、画像形成装置の一例である熱転写プリンタに本発明を適用した場合について説明する。
【００２２】
図１〜図６に示すように、本実施形態による熱転写プリンタは、装置本体１と、装置本体１に脱着可能に取り付けられる給紙トレイ２と、回転部材３と、赤外線信号により画像データの通信を行うための赤外線通信部４とを備えている。
【００２３】
ここで、本実施形態では、装置本体１は、図２〜図４に示すように、インクシートカートリッジ（図示せず）を挿入するための挿入孔１ａと、回転部材３を回転可能に保持する凹部１ｂとを含んでいる。また、装置本体１の凹部１ｂは、装置本体１の上面１ｃに平面的に見て円形状に形成されている。また、回転部材３は、図１および図３〜図６に示すように、装置本体１に対してＡ方向に３６０度回転可能に取り付けられている。この回転部材３は、装置本体１の凹部１ｂに収納される円筒部３ａと、外部に露出される赤外線通信部取付部３ｂとを含んでいる。そして、その回転部材３の円筒部３ａは、平面的に見て装置本体１の凹部１ｂとほぼ同じ大きさの円形状を有するとともに、装置本体１の凹部１ｂに挿入されている。これにより、回転部材３は、装置本体１に対してＡ方向に３６０度回転可能な状態で、装置本体１に保持される。また、回転部材３の赤外線通信部取付部３ｂは、円筒部３ａの延びる方向から所定の角度傾斜するように形成されている。また、回転部材３の赤外線通信部取付部３ｂには、赤外線通信部４を配置するための開口部３ｃが設けられている。また、回転部材３の開口部３ｃの長手方向の両側面近傍には、赤外線通信部４を回動可能に保持する嵌合孔３ｄを有する一対のリブ部３ｅが回転部材３の内部方向へ突出するように設けられている。
【００２４】
また、本実施形態では、赤外線通信部４は、図１および図３〜図６に示すように、回転部材３に上下方向（Ｂ方向）に回動可能に取り付けられている。この赤外線通信部４は、図７に示すように、円柱形状に形成された回動部４ａと、赤外線通信素子４ｂとを含んでいる。また、赤外線通信部４の回動部４ａは、回動部４ａの両側端面から、それぞれ、回動部４ａの延びる方向（Ｃ方向）に沿って外側に突出するように設けられた一対の軸部４ｃを含んでいる。そして、その赤外線通信部４の一対の軸部４ｃが、それぞれ、回転部材３の嵌合孔３ｄに回動可能に挿入されている。これにより、赤外線通信部４は、軸部４ｃを回動中心として、回転部材３に上下方向（Ｂ方向）に回動可能に取り付けられている。また、赤外線通信部４の回動部４ａの両側端面近傍には、それぞれ、赤外線通信部４の回動方向に沿って所定の間隔を隔てて複数の凸部を有する把持部４ｄが設けられている。
【００２５】
また、図１に示すように、赤外線通信素子４ｂは、たとえば、携帯電話１０から赤外線通信により画像データに対応する赤外線信号が送信されるように構成されている。なお、携帯電話１０は、本発明の「機器」の一例である。この携帯電話１０は、図１に示すように、画像を撮影可能なカメラ部１０ａと、カメラ部１０ａにより撮影した画像のデータに対応する赤外線信号を熱転写プリンタに送信するための赤外線通信素子１０ｂとを有する。なお、カメラ部１０ａは、本発明の「カメラ機能」の一例であり、赤外線通信素子１０ｂは、本発明の「赤外線通信機能」の一例である。また、装置本体１の赤外線通信素子４ｂおよび携帯電話１０の赤外線通信素子１０ｂは、前述のＩｒ−ＤＡ規格に対応している。また、赤外線通信素子４ｂは、図７に示すように、赤外線通信部４の回動部４ａの内部に収納されているとともに、通信面は外部に露出するように配置されている。また、熱転写プリンタの赤外線通信素子４ｂおよび携帯電話１０の赤外線通信素子１０ｂの通信可能な指向角は、垂直方向および水平方向に±１５度である。熱転写プリンタの赤外線通信素子４ｂは、図１に示すように、携帯電話１０から赤外線通信により送信される画像データに対応する赤外線信号を受信可能である。
【００２６】
図８〜図１１は、図１に示した一実施形態による熱転写プリンタの赤外線通信素子と、携帯電話の赤外線通信素子との間のデータの送受信動作を説明するための図である。次に、図８〜図１１を参照して、本実施形態による熱転写プリンタと、携帯電話とのデータの送受信動作について説明する。
【００２７】
本実施形態では、携帯電話１０の位置が装置本体１の赤外線通信部４に対して水平方向にずれている場合には、装置本体１の赤外線通信部４に入射される赤外線信号の受信可能な指向角が±１５度であるので、携帯電話１０の赤外線通信素子４ｂから送信される赤外線信号が装置本体１の赤外線通信素子４ｂにより受信されない場合がある。そこで、図８および図９に示すように、装置本体１の赤外線通信部４を回転部材３と共に装置本体１の上面１ｃでＡ方向に回転させることにより、装置本体１の赤外線通信素子４ｂが携帯電話１０と対向する位置まで回転される。このため、携帯電話１０の位置が装置本体１の赤外線通信部４に対して水平方向にずれている場合にも、装置本体１の赤外線通信素子４ｂが携帯電話１０の赤外線通信素子１０ｂから送信される赤外線信号を受信可能な位置まで移動されるので、携帯電話１０の赤外線通信素子４ｂから送信される赤外線信号が装置本体１の赤外線通信部４により受信される。
【００２８】
また、本実施形態では、携帯電話１０の位置が装置本体１の赤外線通信部４に対して上下方向にずれている場合には、装置本体１の赤外線通信部４に入射される赤外線信号の受信可能な指向角が±１５度であるので、携帯電話１０の赤外線通信素子４ｂから送信される赤外線信号が装置本体１の赤外線通信素子４ｂにより受信されない場合がある。そこで、図１０および図１１に示すように、装置本体１の赤外線通信部４を上下方向（Ｂ方向）に回動させることにより、装置本体１の赤外線通信素子４ｂが携帯電話１０と対向する位置まで回動される。このため、携帯電話１０の位置が装置本体１の赤外線通信部４に対して上下方向にずれている場合にも、装置本体１の赤外線通信素子４ｂが携帯電話１０の赤外線通信素子１０ｂから送信される赤外線信号を受信可能な位置まで移動されるので、携帯電話１０の赤外線通信素子１０ｂから送信される赤外線信号が装置本体１の赤外線通信部４により受信される。
【００２９】
また、本実施形態では、装置本体１の赤外線通信素子４ｂから送信される赤外線信号は、回転部材３を回転させるとともに、赤外線通信部４を回動させることにより、指向方向が変化される。これにより、携帯電話１０の赤外線通信素子１０ｂの赤外線信号の受信範囲が、広い範囲で変化される。
【００３０】
本実施形態では、上記のように、印画を行う装置本体１の上面１ｃに、Ａ方向に回転可能に設置された回転部材３と、回転部材３に取り付けられ、画像データの赤外線通信を行うための赤外線通信部４とを備えるとともに、携帯電話１０の位置が装置本体１の赤外線通信部４に対して水平方向にずれている場合には、装置本体１の赤外線通信部４を回転部材３と共に装置本体１の上面１ｃでＡ方向に回転させることによって、装置本体１の赤外線通信部４を携帯電話１０と対向する位置まで回転させることができる。これにより、携帯電話１０の位置が装置本体１の赤外線通信部４に対して水平方向にずれいている場合にも、携帯電話１０の赤外線通信素子４ｂから送信される赤外線信号を装置本体１の赤外線通信部４により受信することができるので、携帯電話１０と熱転写プリンタとの間で、画像データの通信を行うことができる。その結果、装置本体１の赤外線通信部４の指向角にかかわらず、広い範囲で赤外線通信を行うことができる。
【００３１】
また、本実施形態では、赤外線通信部４を、回転部材３に上下方向（Ｂ方向）に回動可能に取り付けるとともに、携帯電話１０の位置が装置本体１の赤外線通信部４に対して上下方向にずれている場合には、装置本体１の赤外線通信部４を上下方向（Ｂ方向）に回動させることによって、装置本体１の赤外線通信部４を携帯電話１０と対向する位置まで回動させることができる。これにより、携帯電話１０の位置が装置本体１の赤外線通信部４に対して上下方向にずれている場合にも、携帯電話１０の赤外線通信素子４ｂから送信される赤外線信号を装置本体１の赤外線通信部４により受信することができるので、携帯電話１０と熱転写プリンタとの間で、画像データの通信を行うことができる。その結果、装置本体１の赤外線通信部４の指向角にかかわらず、より広い範囲で赤外線通信を行うことができる。
【００３２】
また、本実施形態では、赤外線通信部４を、回転部材３に上下方向（Ｂ方向）に回動可能に取り付けられた回動部４ａと、回動部４ａに装着された赤外線通信素子４ｂとを含むように構成することによって、回動部４ａを上下方向（Ｂ方向）に回動させることにより、容易に、赤外線通信部４を上下方向（Ｂ方向）に移動させることができる。
【００３３】
また、本実施形態では、装置本体１の赤外線通信部４を、カメラ部１０ａと、カメラ部１０ａにより撮影した画像データに対応する赤外線信号を送信する赤外線通信素子１０ｂとを有する携帯電話１０からの画像データに対応する赤外線信号を受信可能に構成することによって、その携帯電話１０のカメラ部１０ａにより撮影した画像データに対応する赤外線信号を、装置本体１の赤外線通信部４を介して、簡単に装置本体１に取り込むことができる。
【００３４】
また、本実施形態では、円柱形状の回動部４ａの表面に操作者が回動部４ａを指で回動させる際に触れる複数の凸部を有する把持部４ｄを設けることによって、複数の凸部を有する把持部４ｄを指で回動させることにより、容易に、赤外線通信部４を上下方向（Ｂ方向）に移動させることができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記実施形態では、赤外線通信部を有する熱転写プリンタに本発明を適用する例を示したが、本発明はこれに限らず、赤外線通信部を有していれば、熱転写プリンタ以外の画像形成装置にも適用可能である。
【００３７】
また、上記実施形態では、熱転写プリンタの赤外線通信部に画像データを送信するとともに、カメラ部と赤外線通信素子とを有する機器として、携帯電話を例にして説明したが、本発明はこれに限らず、カメラ部と赤外線通信素子とを有するデジタルカメラを用いてもよい。また、赤外線通信素子を有する携帯情報端末およびノートパソコンなどにも対応可能である。
【００３８】
また、上記実施形態では、回転部材に赤外線通信部を上下方向に回動可能に取り付ける例を示したが、本発明はこれに限らず、回転部材に赤外線通信素子を設けるとともに、回転部材を回転可能で、かつ、上下方向に回動可能に構成するようにしてもよい。
【００３９】
また、上記実施形態では、赤外線通信部を円柱形状に形成する例を示したが、本発明はこれに限らず、赤外線通信部を球形状に形成するようにしてもよい。
【００４０】
また、上記実施形態では、赤外線通信部の回動部の両方の側端面近傍に複数の凸部を有する把持部を形成する例を示したが、本発明はこれに限らず、赤外線通信部の回動部の一方の側端面近傍のみに把持部を形成するようにしてもよい。
【図面の簡単な説明】
【００４１】
【図１】本発明の一実施形態による熱転写プリンタと、カメラ部および赤外線通信素子を有する携帯電話とを示した斜視図である。
【図２】図１に示した一実施形態による熱転写プリンタを示した分解斜視図である。
【図３】図１に示した一実施形態による熱転写プリンタを示した側面図である。
【図４】図１の１００−１００線に沿った部分断面図である。
【図５】図１に示した一実施形態による熱転写プリンタを示した正面図である。
【図６】図１に示した一実施形態による熱転写プリンタを示した平面図である。
【図７】図１に示した一実施形態による熱転写プリンタの赤外線通信部を示した斜視図である。
【図８】図１に示した一実施形態による熱転写プリンタと、携帯電話との間のデータの送受信動作を説明するための平面図である。
【図９】図１に示した一実施形態による熱転写プリンタと、携帯電話との間のデータの送受信動作を説明するための平面図である。
【図１０】図１に示した一実施形態による熱転写プリンタと、携帯電話との間のデータの送受信動作を説明するための側面図である。
【図１１】図１に示した一実施形態による熱転写プリンタと、携帯電話との間のデータの送受信動作を説明するための側面図である。
【図１２】従来の一例による熱転写プリンタと、カメラ部および赤外線通信素子を有する携帯電話とを示した斜視図である。
【図１３】図１２に示した従来の熱転写プリンタが携帯電話からデータを受信している状態を示した図１２の２００−２００線に沿った断面図である。
【図１４】図１２に示した従来の熱転写プリンタが携帯電話にデータを送信している状態を示した図１２の２００−２００線に沿った断面図である。
【図１５】図１２に示した従来の熱転写プリンタが携帯電話からデータを受信できない状態を示した図１２の２００−２００線に沿った断面図である。
【図１６】図１２に示した従来の熱転写プリンタが携帯電話にデータを送信できない状態を示した図１２の２００−２００線に沿った断面図である。
【符号の説明】
【００４２】
１  装置本体
１ｃ  上面
３  回転部材
４  赤外線通信部
４ａ  回動部
４ｂ  赤外線通信素子
４ｄ  把持部
１０    携帯電話（機器）
１０ａ  カメラ部（カメラ機能）
１０ｂ  赤外線通信素子（赤外線通信機能）
【図１】
2007130764.tif 000003
【図２】
2007130764.tif 000004
【図３】
2007130764.tif 000005
【図４】
2007130764.tif 000006
【図５】
2007130764.tif 000007
【図６】
2007130764.tif 000008
【図７】
2007130764.tif 000009
【図８】
2007130764.tif 000010
【図９】
2007130764.tif 000011
【図１０】
2007130764.tif 000012
【図１１】
2007130764.tif 000013
【図１２】
2007130764.tif 000014
【図１３】
2007130764.tif 000015
【図１４】
2007130764.tif 000016
【図１５】
2007130764.tif 000017
【図１６】
2007130764.tif 000018
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
印画を行う装置本体に設置され、画像データの赤外線通信を行うための赤外線通信部を備えた画像形成装置において、
印画を行う装置本体の上面に、水平方向に回転可能に設置された回転部材をさらに備え、
前記赤外線通信部は、前記回転部材に上下方向に回動可能に取り付けられた回動部と、前記回動部に装着された赤外線通信素子とを含むとともに、カメラ機能と、前記カメラ機能により撮影した画像データに対応する赤外線信号を送信する赤外線通信機能とを有する機器からの画像データに対応する赤外線信号を受信可能であり、
前記回動部の表面には、操作者が前記回動部を指で回動させる際に触れる凹凸形状の把持部が設けられている、画像形成装置。
【請求項２】
印画を行う装置本体の上面に、水平方向に回転可能に設置された回転部材と、
前記回転部材に取り付けられ、画像データの赤外線通信を行うための赤外線通信部とを備えた、画像形成装置。
【請求項３】
前記赤外線通信部は、前記回転部材に上下方向に回動可能に取り付けられている、請求項２に記載の画像形成装置。
【請求項４】
前記赤外線通信部は、前記回転部材に上下方向に回動可能に取り付けられた回動部と、前記回動部に装着された赤外線通信素子とを含む、請求項３に記載の画像形成装置。
【請求項５】
前記装置本体の赤外線通信部は、カメラ機能と、前記カメラ機能により撮影した画像データに対応する赤外線信号を送信する赤外線通信機能とを有する機器からの画像データに対応する赤外線信号を受信可能である、請求項２〜４のいずれか１項に記載の画像形成装置。
【請求項６】
前記回動部の表面には、操作者が前記回動部を指で回動させる際に触れる凹凸形状の把持部が設けられている、請求項４に記載の画像形成装置。
【手続補正２】
【補正対象書類名】明細書
【補正対象項目名】００１１
【補正方法】変更
【補正の内容】
【００１１】
この発明の第１の局面による画像形成装置は、印画を行う装置本体に設置され、画像データの赤外線通信を行うための赤外線通信部を備えた画像形成装置において、印画を行う装置本体の上面に、水平方向に回転可能に設置された回転部材をさらに備え、赤外線通信部は、回転部材に上下方向に回動可能に取り付けられた回動部と、回動部に装着された赤外線通信素子とを含むとともに、カメラ機能と、カメラ機能により撮影した画像データに対応する赤外線信号を送信する赤外線通信機能とを有する機器からの画像データに対応する赤外線信号を受信可能であり、回動部の表面には、操作者が回動部を指で回動させる際に触れる凹凸形状の把持部が設けられている。
【手続補正３】
【補正対象書類名】明細書
【補正対象項目名】００１３
【補正方法】変更
【補正の内容】
【００１３】
また、第１の局面では、赤外線通信部を、回転部材に上下方向に回動可能に取り付けられた回動部と、回動部に装着された赤外線通信素子とを含むように構成することによって、回動部を上下方向に回動させることにより、容易に、赤外線通信部を上下方向に移動させることができる。また、装置本体の赤外線通信部を、カメラ機能と、カメラ機能により撮影した画像データに対応する赤外線信号を送信する赤外線通信機能とを有する機器からの画像データに対応する赤外線信号を受信可能に構成することによって、その機器のカメラ機能により撮影した画像データに対応する赤外線信号を、装置本体の赤外線通信部を介して、簡単に装置本体に取り込むことができる。また、回動部の表面に操作者が回動部を指で回動させる際に触れる凹凸形状の把持部を設けることによって、凹凸形状の把持部を指で回動させることにより、容易に、赤外線通信部を上下方向に移動させることができる。
【手続補正４】
【補正対象書類名】明細書
【補正対象項目名】００１９
【補正方法】変更
【補正の内容】
【００１９】
上記赤外線通信部が回動部を含む構成において、好ましくは、回動部の表面には、操作者が回動部を指で回動させる際に触れる凹凸形状の把持部が設けられている。このように構成すれば、凹凸形状の把持部を指で回動させることにより、容易に、赤外線通信部を上下方向に移動させることができる。
【手続補正５】
【補正対象書類名】明細書
【補正対象項目名】００３０
【補正方法】変更
【補正の内容】
【００３０】
本実施形態では、上記のように、印画を行う装置本体１の上面１ｃに、Ａ方向に回転可能に設置された回転部材３と、回転部材３に取り付けられ、画像データの赤外線通信を行うための赤外線通信部４とを備えるとともに、携帯電話１０の位置が装置本体１の赤外線通信部４に対して水平方向にずれている場合には、装置本体１の赤外線通信部４を回転部材３と共に装置本体１の上面１ｃでＡ方向に回転させることによって、装置本体１の赤外線通信部４を携帯電話１０と対向する位置まで回転させることができる。これにより、携帯電話１０の位置が装置本体１の赤外線通信部４に対して水平方向にずれている場合にも、携帯電話１０の赤外線通信素子４ｂから送信される赤外線信号を装置本体１の赤外線通信部４により受信することができるので、携帯電話１０と熱転写プリンタとの間で、画像データの通信を行うことができる。その結果、装置本体１の赤外線通信部４の指向角にかかわらず、広い範囲で赤外線通信を行うことができる。